(57)【要約】【課題】電話帳データを変更後にやり取りする場合であっても、特別な操作を要することなく簡単にやり取りできるようにする。【解決手段】電話番号および相手先情報を内容とする電話帳データを子機Ｂとは別に備え、電話帳データの内容を変更した後、その内容の変更データを子機Ｂに転送する親機Ａとしての電話装置であって、電話帳データの内容を変更した後にあっても、変更前の電話番号を記憶するＲＡＭ１２と、上記変更データとともに変更前の電話番号を子機Ｂに転送するデータ転送手段としてのＣＰＵ１０を有する。【選択図】  図１
2004228729.tif 000002
【特許請求の範囲】
【請求項１】
電話番号および相手先情報を内容とする電話帳データを他の電話装置とは別に備え、上記電話帳データの内容を変更した後、その内容の変更データを上記他の電話装置に転送する電話装置であって、
上記電話帳データの内容を変更した後にあっても、変更前の電話番号を記憶する記憶手段と、
上記変更データを上記他の電話装置に転送する際、その変更データとともに上記変更前の電話番号を上記他の電話装置に転送するデータ転送手段とを有することを特徴とする電話装置。
【請求項２】
上記記憶手段は、変更前の相手先情報についても記憶し、上記データ転送手段は、上記変更前の電話番号とともに上記変更前の相手先情報を転送する、請求項１に記載の電話装置。
【請求項３】
上記電話帳データの内容の変更には新規登録が含まれ、新規登録した後、その新規登録後の内容のデータを上記他の電話装置に転送する場合、上記データ転送手段は、上記変更前の電話番号を新規登録後の電話番号あるいは欠番に置き換えて転送する、請求項１または２に記載の電話装置。
【請求項４】
電話番号および相手先情報を内容とする電話帳データを他の電話装置とは別に備え、上記他の電話装置で電話帳データの内容が変更された後、その内容の変更データを上記他の電話装置から受ける電話装置であって、
上記他の電話装置から上記変更データとともに変更前の電話番号を取得するデータ取得手段と、
自ら備える上記電話帳データに上記変更前の電話番号を含むものがあるか否かを判別するデータ判別手段と、
上記データ判別手段の判別結果に応じて自ら備える上記電話帳データを上記変更後の電話帳データに書き換えるか否かを決定するデータ書き換え手段とを有することを特徴とする電話装置。
【請求項５】
上記データ取得手段は、上記他の電話装置から上記変更前の電話番号とともに変更前の相手先情報についても取得し、上記データ判別手段は、自ら備える上記電話帳データに上記変更前の電話番号または上記変更前の相手先情報を含むものがあるか否かについて判別する、請求項４に記載の電話装置。
【請求項６】
上記他の電話装置で電話帳データの内容が新規登録された後、その新規登録後の内容のデータが上記他の電話装置から転送された場合、上記データ取得手段は、上記変更前の電話番号として新規登録後の電話番号あるいは欠番を取得する、請求項４または５に記載の電話装置。
【請求項７】
他の電話装置とは別に電話帳データを備え、上記電話帳データの内容を変更した後、その変更後の内容のデータを上記他の電話装置に転送する電話装置であって、
上記他の電話装置と同一の電話帳データについては同一の管理番号に基づいて管理するデータ管理手段と、
上記電話帳データの内容を変更した後にあっても、変更前のデータ内容を記憶する記憶手段と、
上記電話帳データとともにその電話帳データに対応する上記管理番号、およびその電話帳データの変更前のデータ内容を上記他の電話装置に転送するデータ転送手段とを有することを特徴とする電話装置。
【請求項８】
他の電話装置とは別に電話帳データを備え、上記他の電話装置で電話帳データの内容が変更された後、その変更後の内容のデータを上記他の電話装置から取得する電話装置であって、
上記他の電話装置と同一の電話帳データについては同一の管理番号に基づいて管理するデータ管理手段と、
上記他の電話装置から電話帳データとともにその電話帳データに対応する上記管理番号、およびその電話帳データの変更前のデータ内容を取得するデータ取得手段と、
自ら備える上記電話帳データに上記他の電話装置から取得した上記管理番号に対応するもの、または上記変更前のデータ内容を含むものがあるか否かについて判別するデータ判別手段と、
上記データ判別手段の判別結果に応じて自ら備える上記電話帳データを上記他の装置から取得した電話帳データに書き換えるか否かを決定するデータ書き換え手段とを有することを特徴とする電話装置。
【発明の詳細な説明】
【０００１】
【発明の属する技術分野】
本発明は、たとえば電話番号および相手先情報を内容とする電話帳データを個別に備えた親機あるいは子機としての電話装置に関する。
【０００２】
【従来の技術】
従来の親子電話システムには、たとえば親機から子機に電話帳データを転送する際、その電話帳データが子機ですでに登録されている電話帳データと同一内容を含む場合には、その電話帳データを上書き登録するか否かといった転送条件をユーザに選択させ、ユーザの選択操作に応じて上書き登録を行わせるものがある（たとえば、特許文献１参照）。
【０００３】
【特許文献１】
特開２００２−１３５４００号公報
【０００４】
【発明が解決しようとする課題】
しかしながら、上記特許文献１に記載の技術では、たとえば親機で電話帳データの内容を変更した後、その電話帳データを子機に転送する場合、ユーザが電話帳データを上書き登録するか否かをいちいち選択しなければならず、親子間で電話帳データをやり取りする際に面倒で煩わしい操作を要するという難点があった。
【０００５】
本発明は、上記の点に鑑みて提案されたものであって、電話帳データを変更後にやり取りする場合であっても、特別な操作を要することなく簡単にやり取りできる電話装置を提供することを目的とする。
【０００６】
【課題を解決するための手段】
上記目的を達成するために、請求項１に記載した発明の電話装置は、電話番号および相手先情報を内容とする電話帳データを他の電話装置とは別に備え、上記電話帳データの内容を変更した後、その内容の変更データを上記他の電話装置に転送する電話装置であって、上記電話帳データの内容を変更した後にあっても、変更前の電話番号を記憶する記憶手段と、上記変更データを上記他の電話装置に転送する際、その変更データとともに上記変更前の電話番号を上記他の電話装置に転送するデータ転送手段とを有することを特徴とする。
【０００７】
このような電話装置によれば、電話帳データを変更後に変更データを他の電話装置に転送する際、その変更する前の電話番号についても転送するので、そのような変更前の電話番号を用いて他の電話装置に電話帳データの書き換えを自動的に行わせることができ、特別な操作を要することなく簡単に電話帳データをやり取りすることができる。
【０００８】
また、請求項２に記載した発明の電話装置は、請求項１に記載の電話装置であって、上記記憶手段は、変更前の相手先情報についても記憶し、上記データ転送手段は、上記変更前の電話番号とともに上記変更前の相手先情報を転送する。
【０００９】
このような電話装置によれば、請求項１に記載の電話装置による効果に加えて、電話帳データを変更する前の相手先情報についても転送するので、変更前の電話番号または変更前の相手先情報を用いて他の電話装置に電話帳データの書き換えを自動的に行わせることができる。
【００１０】
さらに、請求項３に記載した発明の電話装置は、請求項１または２に記載の電話装置であって、上記電話帳データの内容の変更には新規登録が含まれ、新規登録した後、その新規登録後の内容のデータを上記他の電話装置に転送する場合、上記データ転送手段は、上記変更前の電話番号を新規登録後の電話番号あるいは欠番に置き換えて転送する。
【００１１】
このような電話装置によれば、請求項１または２に記載の電話装置による効果に加えて、新規登録後の内容のデータを他の電話装置に転送する場合であっても、変更前の電話番号を新規登録後の電話番号あるいは欠番に置き換えるだけで、変更データを転送する場合と同様の転送フォーマットを用いて転送することができるので、新規登録後の電話番号あるいは欠番を用いて他の電話装置に電話帳データの新規登録を自動的に行わせることができる。
【００１２】
また、請求項４に記載した発明の電話装置は、電話番号および相手先情報を内容とする電話帳データを他の電話装置とは別に備え、上記他の電話装置で電話帳データの内容が変更された後、その内容の変更データを上記他の電話装置から受ける電話装置であって、上記他の電話装置から上記変更データとともに変更前の電話番号を取得するデータ取得手段と、自ら備える上記電話帳データに上記変更前の電話番号を含むものがあるか否かを判別するデータ判別手段と、上記データ判別手段の判別結果に応じて自ら備える上記電話帳データを上記変更後の電話帳データに書き換えるか否かを決定するデータ書き換え手段とを有することを特徴とする。
【００１３】
このような電話装置によれば、他の電話装置から変更データを取得する際、変更する前の電話番号についても取得するので、そのような変更前の電話番号を用いて電話帳データの書き換えを自動的に行うことができ、特別な操作を要することなく簡単に電話帳データをやり取りすることができる。
【００１４】
さらに、請求項５に記載した発明の電話装置は、請求項４に記載の電話装置であって、上記データ取得手段は、上記他の電話装置から上記変更前の電話番号とともに変更前の相手先情報についても取得し、上記データ判別手段は、自ら備える上記電話帳データに上記変更前の電話番号または上記変更前の相手先情報を含むものがあるか否かについて判別する。
【００１５】
このような電話装置によれば、請求項４に記載の電話装置による効果に加えて、電話帳データを変更する前の相手先情報についても取得するので、変更前の電話番号または変更前の相手先情報を用いて電話帳データの書き換えを自動的に行うことができる。
【００１６】
また、請求項６に記載した発明の電話装置は、請求項４または５に記載の電話装置であって、上記他の電話装置で電話帳データの内容が新規登録された後、その新規登録後の内容のデータが上記他の電話装置から転送された場合、上記データ取得手段は、上記変更前の電話番号として新規登録後の電話番号あるいは欠番を取得する。
【００１７】
このような電話装置によれば、請求項４または５に記載の電話装置による効果に加えて、新規登録後の内容のデータを他の電話装置から取得する場合、変更前の電話番号に代わる新規登録後の電話番号あるいは欠番を取得し、変更データを取得する場合と同様の転送フォーマットを用いることができるので、新規登録後の電話番号あるいは欠番を用いて電話帳データの新規登録を自動的に行うことができる。
【００１８】
さらに、請求項７に記載した発明の電話装置は、他の電話装置とは別に電話帳データを備え、上記電話帳データの内容を変更した後、その変更後の内容のデータを上記他の電話装置に転送する電話装置であって、上記他の電話装置と同一の電話帳データについては同一の管理番号に基づいて管理するデータ管理手段と、上記電話帳データの内容を変更した後にあっても、変更前のデータ内容を記憶する記憶手段と、上記電話帳データとともにその電話帳データに対応する上記管理番号、およびその電話帳データの変更前のデータ内容を上記他の電話装置に転送するデータ転送手段とを有することを特徴とする。
【００１９】
このような電話装置によれば、電話帳データを変更後にその変更後の内容のデータを他の電話装置に転送する際、その変更後の内容のデータに対応する管理番号と変更前のデータ内容とを転送するので、そのような管理番号や変更前のデータ内容を用いて他の電話装置に電話帳データの書き換えを自動的に行わせることができ、特別な操作を要することなく簡単に電話帳データをやり取りすることができる。
【００２０】
また、請求項８に記載した発明の電話装置は、他の電話装置とは別に電話帳データを備え、上記他の電話装置で電話帳データの内容が変更された後、その変更後の内容のデータを上記他の電話装置から取得する電話装置であって、上記他の電話装置と同一の電話帳データについては同一の管理番号に基づいて管理するデータ管理手段と、上記他の電話装置から電話帳データとともにその電話帳データに対応する上記管理番号、およびその電話帳データの変更前のデータ内容を取得するデータ取得手段と、自ら備える上記電話帳データに上記他の電話装置から取得した上記管理番号に対応するもの、または上記変更前のデータ内容を含むものがあるか否かについて判別するデータ判別手段と、上記データ判別手段の判別結果に応じて自ら備える上記電話帳データを上記他の装置から取得した電話帳データに書き換えるか否かを決定するデータ書き換え手段とを有することを特徴とする。
【００２１】
このような電話装置によれば、他の電話装置から変更後の内容のデータを取得する際、そのデータに対応する管理番号と変更前のデータ内容とを取得するので、そのような管理番号や変更前のデータ内容を用いて電話帳データの書き換えを自動的に行うことができ、特別な操作を要することなく簡単に電話帳データをやり取りすることができる。
【００２２】
【発明の実施の形態】
以下、本発明の好ましい実施の形態を、図面を参照して具体的に説明する。
【００２３】
図１は、本発明に係る電話装置の一実施形態を説明するためのブロック図である。電話装置は、ファクシミリ装置本体としての機能を備えた親機Ａ、あるいは親機Ａとコードレス方式により接続された子機Ｂからなる。
【００２４】
親機Ａは、ＣＰＵ１０、ＮＣＵ１１、ＲＡＭ１２、モデム１３、ＲＯＭ１４、ＮＶＲＡＭ（不揮発性ＲＡＭ：Ｎｏｎ−Ｖｏｌａｔｉｌｅ  ＲＡＭ）１５、ゲートアレイ１６、コーデック１７、ＤＭＡＣ１８、読取部２１、印刷部２２、操作部２３、表示部２４、および無線通信部２５などで構成される。ＣＰＵ１０、ＮＣＵ１１、ＲＡＭ１２、モデム１３、ＲＯＭ１４、ＮＶＲＡＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、および無線通信部２５が接続されている。ＮＣＵ１１には、公衆電話回線２８が接続されている。
【００２５】
ＣＰＵ１０は、ファクシミリ装置全体の動作を制御する。また、ＣＰＵ１０は、後述の本発明に係る電話帳データの登録／変更に関する処理も制御する。ＮＣＵ１１は、公衆電話回線２８に接続されて網制御を行う。ＲＡＭ１２は、ＣＰＵ１０の作業領域や各種データの一時的な記憶領域を提供する。モデム１３は、ファクシミリデータや音声データの変復調などを行う。ＲＯＭ１４は、ＣＰＵ１０が実行すべきプログラムや設定情報などを記憶している。ＮＶＲＡＭ１５は、電話帳データを記憶している。ゲートアレイ１６は、ＣＰＵ１０と各部２１〜２５とのインターフェイスとして機能する。コーデック１７は、ファクシミリデータや音声データの符号化や復号化を行う。ＤＭＡＣ１８は、主にＲＡＭ１２へのデータの書き込みや読み出しを行う。
【００２６】
読取部２１は、イメージセンサやＬＥＤ光源などを備え、原稿などから文字や図形などの画像を読み取る。印刷部２２は、たとえばインクジェット方式などにより文字や図形などの画像を印刷する。操作部２３は、テンキーや文字キーなどのキースイッチ群を備え、ユーザのキー操作に応じた指令をＣＰＵ１０に伝える。表示部２４は、ＬＣＤなどのディスプレイを備え、動作状態やガイダンスメッセージなどの各種情報を表示する。無線通信部２５は、無線通信用アンテナや高周波信号処理回路などを備え、子機Ｂとの間で各種のデータや信号をやり取りする。なお、子機Ｂは、主に親機Ａを介した音声のやり取りに用いられ、ファクシミリ通信機能以外は親機Ａと同様に、無線通信部４５や電話帳データを記憶するＮＶＲＡＭ３５、さらには操作部３３や表示部３４などを備える。
【００２７】
要点について説明すると、親機Ａと子機Ｂとのそれぞれには、図２に一例を示すように、相手先の電話番号や相手先の名称などの相手先情報を内容とする電話帳データが個別に備えられている。同図において、「番号」は、登録案件を識別するための番号で、後述する管理番号に相当している。「相手先名称」は、通話相手の名称、愛称などを登録する欄である。「電話番号」は、通話相手の電話番号を登録する欄である。「呼出先」は、着信があったときにどの電話機を鳴動させるかを登録する欄である。「呼出音」は、着信があったときの呼出音の音色のパターンを登録する欄である。親機Ａの電話帳データには、図２に示すように、相手先を示す発信元通知番号に応じて呼出先や呼出音の音色を変えるための呼出パターン情報が含まれるが、子機Ｂの電話帳データには、これらの呼出パターン情報は含まれない。すなわち、子機Ｂの電話帳データは、図２に示す電話帳データから「呼出先」と「呼出音の音色」の欄を除いたものとなっている。
【００２８】
親機Ａと子機Ｂにおいては、それぞれ個別に電話帳データの内容（電話番号や相手先情報）を変更したり、あるいは新規登録することができるが、たとえば親機Ａで電話帳データを変更あるいは新規登録した後、その電話帳データを子機Ｂに転送することができる。子機Ｂでは、親機Ａからの電話帳データに該当する自己の電話帳データが自動的に書き換えられ、あるいは親機Ａからの電話帳データが自動的に新規登録される。逆に、子機Ｂから親機Ａに対しても電話帳データを転送することができ、親機Ａで電話帳データを自動的に書き換えたり、自動的に新規登録することができる。
【００２９】
このような電話帳データの自動的な書き換えや新規登録を実現するために、本実施形態では、親機Ａと子機Ｂとの間で単に変更あるいは新規登録後の電話帳データをやり取りするだけでなく、変更前の時点における電話番号と相手先情報についてもやり取りするように転送フォーマットが決められている。
【００３０】
図３は、転送フォーマットを説明するための説明図である。この図に示すように、親機Ａと子機Ｂとの間で電話帳データをやり取りする際には、変更後相手先情報（具体的には相手先名称）および変更後電話番号に加え、変更前相手先情報（具体的には電話帳データ内の相手先名称）および変更前電話番号（具他的には電話帳データ内の電話番号）を含む転送フォーマットを用いて電話帳データがやり取りされる。変更後相手先情報および変更後電話番号は、転送フォーマットの変更後フレームに収められ、変更前相手先情報および変更前電話番号は、転送フォーマットの変更前フレームに収められる。なお、ここで言う変更前や変更後とは、電話帳データが変更された前後の時点における電話番号や相手先情報を意味し、必ずしも実際に変更された電話番号あるいは相手先情報そのものに相当するものではない。つまり、電話番号のみを変更した場合には、変更前電話番号と変更後電話番号とは異なるものの、変更前相手先情報と変更後相手先情報とは同一であり、相手先情報のみを変更した場合には、変更前相手先情報と変更後相手先情報とは異なるものの、変更前電話番号と変更後電話番号とは同一である。このような転送フォーマットを受けた親機Ａあるいは子機Ｂでは、自己の保有する電話帳データに変更前相手先情報や変更前電話番号と一致するものがあるか否かを照合し、それらの一致／不一致の結果に応じて電話帳データを自動的に書き換え、あるいは自動的に新規登録する。
【００３１】
次に、具体的な動作について説明する。
【００３２】
図４は、ユーザ操作に応じた電話帳データの変更／登録処理の流れを示すフローチャートである。なお、この電話帳データの変更／登録処理は、親機Ａにおいて実行されるものとする。
【００３３】
ユーザにより電話帳データを新規登録するための操作が行われると（Ｓ１：ＹＥＳ）、さらにユーザによって新たな相手先の電話番号と相手先情報とが入力され、新規電話番号および新規相手先情報を含む電話帳データが新規作成される（Ｓ２）。新規作成された電話帳データは、親機ＡのＮＶＲＡＭ１５に追加登録される。
【００３４】
このとき、新規電話番号および新規相手先情報については、たとえばＲＡＭ１２に一時記憶される（Ｓ３）。その後、新規電話帳データを子機Ｂに対して転送するか否かの選択画面が表示部２４に表示される（Ｓ４）。
【００３５】
それに応じてユーザにより新規電話帳データを転送する旨の選択がなされると（Ｓ４：ＹＥＳ）、先述した転送フォーマットを用いて新規電話帳データが子機Ｂに転送される（Ｓ５）。このとき、転送フォーマットの変更後フレームには、新規電話番号および新規相手先情報が収容され、変更前フレームにも同じく新規電話番号および新規相手先情報が収容される。
【００３６】
電話帳データの転送を終えると、ＲＡＭ１２の一時記憶領域が開放され（Ｓ６）、一連の処理が終わる。また、Ｓ４において、新規電話帳データを転送しない場合（Ｓ４：ＮＯ）、Ｓ６を経て一連の処理が終わる。
【００３７】
Ｓ１において、ユーザにより電話帳データの内容を変更するための操作が行われると（Ｓ１：ＮＯ）、さらにユーザがスクロール操作などを行うことで既存の電話帳データがＮＶＲＡＭ１５から１件ずつ読み出され、変更対象となる電話帳データが選択される（Ｓ７）。
【００３８】
このとき、選択された電話帳データに含まれる既存電話番号および既存相手先情報については、変更前の電話番号や相手先情報としてたとえばＲＡＭ１２に一時記憶される（Ｓ８）。
【００３９】
そして、ユーザにより既存電話番号や既存相手先情報に関して変更すべき点が入力されると、それに応じて電話帳データの内容が変更される（Ｓ９）。ここで、電話帳データの変更パターンとしては、電話番号のみの変更、相手先情報のみの変更、電話番号および相手先情報の双方変更の３パターンがある。
【００４０】
その後、ユーザにより変更した電話帳データを転送する旨の選択がなされると（Ｓ１０：ＹＥＳ）、先述した転送フォーマットを用いて変更に係る電話帳データが子機Ｂに転送される（Ｓ１１）。このとき、転送フォーマットの変更後フレームには、変更後電話番号および変更後相手先情報が収容される一方、変更前フレームには、ＲＡＭ１２から読み出した変更前電話番号および変更前相手先情報が収容される。その後、電話帳データの転送を終えると、Ｓ６を経て一連の処理が終わる。
【００４１】
Ｓ１０において、変更に係る電話帳データを転送しない場合にも（Ｓ１０：ＮＯ）、Ｓ６を経て一連の処理が終わる。
【００４２】
図５は、転送先における電話帳データの自動登録処理の流れを示すフローチャートである。なお、この電話帳データの自動登録処理は、子機Ｂにおいて実行されるものとする。
【００４３】
親機Ａからの転送フォーマットにより電話帳データを受信すると（Ｓ２１：ＹＥＳ）、子機Ｂ内においては、ＮＶＲＡＭ３５から既存の電話帳データが１件ずつ読み出される（Ｓ２２）。
【００４４】
そして、上記転送フォーマットの変更前フレームから読み出した電話番号と、既存の電話帳データに含まれる電話番号とが一致するか否か照合される（Ｓ２３）。このとき、変更前フレームには、必ずしも変更前電話番号が含まれるとは限らず、新規電話番号の場合もある。
【００４５】
変更前フレームの電話番号と既存の電話番号とが一致する場合（Ｓ２３：ＹＥＳ）、さらに変更前フレームから読み出した相手先情報と、既存の電話帳データに含まれる相手先情報とが一致するか否か照合される（Ｓ２４）。
【００４６】
変更前フレームの相手先情報と既存の相手先情報とが一致しない場合（Ｓ２４：ＮＯ）、既存の電話番号のみを変更後フレームの電話番号に書き換える上書き処理を行い（Ｓ２５）、この電話帳データの自動登録処理を終える。つまり、当初は親機Ａと子機Ｂとの間で同じ電話番号の電話帳データでも使い勝手などの理由で相手先情報（相手先名称）が異なり、親機Ａで電話番号のみが変更されて子機Ｂに転送されると、子機Ｂでは、相手先情報が親機Ａとは異なるものの電話番号が親機Ａと同じになるように書き換えられる。
【００４７】
一方、Ｓ２４において、変更前フレームの相手先情報と既存の相手先情報とが一致する場合（Ｓ２４：ＹＥＳ）、既存の電話番号および相手先情報の双方を変更後フレームに含まれる電話番号および相手先情報に書き換える上書き処理を行い（Ｓ２６）、この電話帳データの自動登録処理を終える。つまり、当初の時点では親機Ａと子機Ｂとの間で同じ電話番号と相手先情報からなる電話帳データが備えられ、たとえば親機Ａで電話番号のみが変更されて子機Ｂに転送されると、子機Ｂでは、電話番号が親機Ａと同じになるように書き換えられる。このとき、相手先情報についても一応書き換えられるが、変更前の相手先情報と変更後の相手先情報とは変わりないことから、結果として以前と同じ相手先情報となる。また、親機Ａで相手先情報のみが変更されて子機Ｂに転送された場合も同様に、子機Ｂの相手先情報のみが親機Ａと同じになるように書き換えられる。なお、親機Ａで電話番号と相手先情報との両方が変更されて子機Ｂに転送された場合、子機Ｂでは、電話番号と相手先情報との両方が親機Ａと同じになるように書き換えられることとなる。
【００４８】
Ｓ２３において、変更前フレームの電話番号と既存の電話番号とが一致しない場合（Ｓ２３：ＮＯ）、さらに他の電話帳データがあるか否か調べられる（Ｓ２７）。
【００４９】
全ての電話帳データに含まれる電話番号の照合を行い、変更前フレームの電話番号に一致する電話帳データが存在しないと判定された場合（Ｓ２７：ＮＯ）、変更後フレームに含まれる電話番号および相手先情報を新たな電話帳データとして追加登録する処理を行い（Ｓ２８）、この電話帳データの自動登録処理を終える。この場合には、親機Ａと子機Ｂとの間で同じ電話番号と相手先情報からなる電話帳データが備えられる。すなわち、親機Ａで新たに電話帳データが追加登録されて子機Ｂに転送されると、子機Ｂでも同じ電話帳データが登録される。
【００５０】
Ｓ２７において、電話番号の照合を行っていない他の電話帳データがある場合（Ｓ２７：ＹＥＳ）、Ｓ２２に戻ってＮＶＲＡＭ３５から次順の電話帳データが読み出される。
【００５１】
Ｓ２１において、親機Ａからの電話帳データを受信しない場合（Ｓ２１：ＮＯ）、親機Ａから電話帳データが転送されてくるまで待つ。
【００５２】
したがって、親機Ａとしては、ある電話帳データに含まれる電話番号や相手先情報をユーザが手動で変更した後、その電話帳データを子機Ｂに対して転送する場合、変更後の電話帳データそのものだけでなく、変更前の電話番号や相手先情報についても転送フォーマットにのせて転送する。そのため、子機Ｂは、変更後の電話帳データとともに親機Ａで変更する前の電話番号や相手先情報を取得し、そのような変更前の電話番号や相手先情報との照合結果に基づいて電話帳データの書き換えを自動的に行うことができ、特別な操作を要することなく簡単に電話帳データをやり取りすることができる。
【００５３】
また、親機Ａで新規登録された電話帳データを子機Ｂに転送する場合であっても、転送フォーマットを変えることなく新規登録後の電話帳データを転送できるので、親機Ａと子機Ｂとの間における通信処理をスムーズに行うことができ、しかも子機Ｂでは、電話帳データの新規登録を自動的に行うことができる。
【００５４】
上記実施形態では、電話帳データを親機Ａから子機Ｂに対して転送する場合について説明したが、もちろん子機Ｂから親機Ａに転送しても良く、そうした場合でも上記実施形態と同様の効果を得ることができる。
【００５５】
また、親機Ａと子機Ｂにおいては、同じ電話番号および相手先情報からなる電話帳データに同じ管理番号（図２の最左端列に示す番号）を割り当て、この管理番号に基づいて電話帳データを管理するようにしても良い。そうした場合、転送フォーマットの変更前フレームには、図６に転送フォーマットの変形例を示すように、変更前の電話番号に代えてこれから転送しようとする電話帳データの管理番号を収容させることができる。この管理番号を利用して電話帳データの書き換えや新規登録を自動的に行うことができる。つまり、図４のフローチャートでは、Ｓ１１において変更前の電話番号に代えて管理番号を転送することができ、図５のフローチャートでは、Ｓ２３において管理番号の照合を行うことができる。
このような管理番号を変更前の電話番号の代用とした場合、１０桁程度にもなる電話番号に比べて管理番号はせいぜい２、３桁程度で済むので、データ転送量を抑えることができる。
【００５６】
なお、本発明は、上記の実施形態に限定されるものではない。
【００５７】
上記実施形態では、電話帳データの変更後や新規登録後に転送するか否かはユーザの選択に委ねられるが、変更後や新規登録後にはユーザが選択せずとも自動的に転送するとしても良い。
【００５８】
電話帳データを転送する際には、変更前の電話番号とともに変更前の相手先情報についても転送されるが、変更前の電話番号だけでも良い。そうした場合、図５のフローチャートにおいてＳ２３でＹＥＳの場合、Ｓ２４およびＳ２５に進むことなく、必ずＳ２６に進むこととなる。
【００５９】
電話帳データについては、変更や新規登録に係る複数件分をまとめて転送したり、変更や新規登録されなかった分もまとめて転送するようにしても良い。
【００６０】
新規登録された電話帳データを転送する際、転送フォーマットの変更前フォームには、新規登録後の電話番号や相手先情報を収容するとしたが、その際、変更前フォームには何ら情報を書き込むことなく、変更前フォームをデフォルト値（全て０値）としたまま転送するとしても良い。そうした場合、変更前フォームに情報がないと新規登録に係る電話帳データであるという取り決めを転送プロトコルなどに予め規定しておく必要がある。これにより、電話帳データを受信する側では、いちいち電話番号を照合する必要もなくすぐに新規登録用の処理を始めることができ、データ処理を高速化することができる。
【００６１】
また、新規登録された電話帳データを転送する際には、変更前フォームに通常電話番号としては使用されないような欠番を書き込み、そのような欠番を含む変更前フォームを転送するとしても良い。そうした場合、変更前フォームに欠番が存在すると新規登録に係る電話帳データであるという取り決めを転送プロトコルなどに予め規定しておく必要がある。これによってもデータ処理の高速化を図ることができる。
【００６２】
【発明の効果】
以上説明したように、請求項１に記載した発明の電話装置によれば、電話帳データを変更後に変更データを他の電話装置に転送する際、その変更する前の電話番号についても転送するので、そのような変更前の電話番号を用いて他の電話装置に電話帳データの書き換えを自動的に行わせることができ、特別な操作を要することなく簡単に電話帳データをやり取りすることができる。
【００６３】
また、請求項２に記載した発明の電話装置によれば、請求項１に記載の電話装置による効果に加えて、電話帳データを変更する前の相手先情報についても転送するので、変更前の電話番号または変更前の相手先情報を用いて他の電話装置に電話帳データの書き換えを自動的に行わせることができる。
【００６４】
さらに、請求項３に記載した発明の電話装置によれば、請求項１または２に記載の電話装置による効果に加えて、新規登録後の内容のデータを他の電話装置に転送する場合であっても、変更前の電話番号を新規登録後の電話番号あるいは欠番に置き換えるだけで、変更データを転送する場合と同様の転送フォーマットを用いて転送することができるので、新規登録後の電話番号あるいは欠番を用いて他の電話装置に電話帳データの新規登録を自動的に行わせることができる。
【００６５】
また、請求項４に記載した発明の電話装置によれば、他の電話装置から変更データを取得する際、変更する前の電話番号についても取得するので、そのような変更前の電話番号を用いて電話帳データの書き換えを自動的に行うことができ、特別な操作を要することなく簡単に電話帳データをやり取りすることができる。
【００６６】
さらに、請求項５に記載した発明の電話装置によれば、請求項４に記載の電話装置による効果に加えて、電話帳データを変更する前の相手先情報についても取得するので、変更前の電話番号または変更前の相手先情報を用いて電話帳データの書き換えを自動的に行うことができる。
【００６７】
また、請求項６に記載した発明の電話装置によれば、請求項４または５に記載の電話装置による効果に加えて、新規登録後の内容のデータを他の電話装置から取得する場合、変更前の電話番号に代わる新規登録後の電話番号あるいは欠番を取得し、変更データを取得する場合と同様の転送フォーマットを用いることができるので、新規登録後の電話番号あるいは欠番を用いて電話帳データの新規登録を自動的に行うことができる。
【００６８】
さらに、請求項７に記載した発明の電話装置によれば、電話帳データを変更後にその変更後の内容のデータを他の電話装置に転送する際、その変更後の内容のデータに対応する管理番号と変更前のデータ内容とを転送するので、そのような管理番号や変更前のデータ内容を用いて他の電話装置に電話帳データの書き換えを自動的に行わせることができ、特別な操作を要することなく簡単に電話帳データをやり取りすることができる。
【００６９】
また、請求項８に記載した発明の電話装置によれば、他の電話装置から変更後の内容のデータを取得する際、そのデータに対応する管理番号と変更前のデータ内容とを取得するので、そのような管理番号や変更前のデータ内容を用いて電話帳データの書き換えを自動的に行うことができ、特別な操作を要することなく簡単に電話帳データをやり取りすることができる。
【図面の簡単な説明】
【図１】本発明に係る電話装置の一実施形態を説明するためのブロック図である。
【図２】電話帳データの内容を説明するための説明図である。
【図３】転送フォーマットを説明するための説明図である。
【図４】電話帳データの変更／登録処理の流れを示すフローチャートである。
【図５】転送先における電話帳データの自動登録処理の流れを示すフローチャートである。
【図６】転送フォーマットの変形例を説明するための説明図である。
【符号の説明】
１０  ＣＰＵ
１１  ＮＣＵ
１２  ＲＡＭ
１３  モデム
１４  ＲＯＭ
１５  ＮＶＲＡＭ
１６  ゲートアレイ
１７  コーデック
１８  ＤＭＡＣ
２１  読取部
２２  印刷部
２３  操作部
２４  表示部
２５  無線通信部
２８  公衆電話回線
Ａ    親機
Ｂ    子機
【図１】
2004228729.tif 000003
【図２】
2004228729.tif 000004
【図３】
2004228729.tif 000005
【図４】
2004228729.tif 000006
【図５】
2004228729.tif 000007
【図６】
2004228729.tif 000008